(57)【特許請求の範囲】
【請求項１】
草刈機の回転軸の挿入を許す開口を上壁に設け、かつこの回転軸に固止される椀形のハウジングには、その周壁に、一方側に曲面部を有する引掛け片を対で設けるとともに、この引掛け片の間に設けたスリットに、ナイロンカッタ挿入用のガイドピースを嵌着し、またその上壁内面に複数の第一係止突条を膨出して設けた構成とし、
このハウジングに内装され、かつ前記ナイロンカッタを捲装したボビンは、筒状本体部と、この筒状本体部に設け、かつ第一・第二被係止突条を膨出形成した上下鍔片で構成し、この筒状本体部の下部に設けた押圧用の突部の内面には、この筒状本体部の内面側より、軸芯に向って、環状に設けた第一リング壁と、この第一リング壁と当該筒状本体部内面との間に差渡し設けた複数枚の座面片と、また、この第一リング壁の内方で、かつこの内面に環状に設けた第二リング壁と、この第二リング壁と前記第一リング壁との間に差渡し設けた複数枚の突片を、順次、設ける構成とし、
前記ハウジングの引掛け片に係止され、かつこのハウジングをカバーする皿状のカバーを設け、このカバーには、その壁体の外周面に開設した前記引掛け片が挿入される切欠き孔と、この切欠き孔の間に設けた、当該ハウジングの周壁の外側に添着される複数の突片と、また、この壁体に開設した前記ボビンの突部が挿入される開口と、その内壁面に膨出した複数の第二係止突条で構成し、
前記ハウジングに、前記カバーを装着した際に、このカバーの開口より前記ボビンの突部が突出し、前記ボビンの座面片にスプリングの座面が当接されるとともに、前記ボビンの突片の外側には、前記スプリングの内面側が添接され、このスプリングを、前記ハウジングと前記ボビンとの間に取付ける構成であり、
前記スプリングの付勢力で、前記第二被係止突条と、第二係止突条が係止関係を確保し、また、このスプリングの付勢力を圧縮した際に、前記ボビンが移動し、前記第一被係止突条と、第一係止突条が係止関係を確保し、
前記引掛け片の一方側の曲面部を介して、この引掛け片が、前記切欠き孔の段付き部より脱離し、前記ハウジングより前記カバーの取外しができる構成とした草刈機のナイロンカッタの繰出し機構を備えた回転ケース。
【請求項２】
請求項１に記載の草刈機のナイロンカッタの繰出し機構を備えた回転ケースであって、
このハウジングには、当該ハウジングの上壁に設けた開口を囲繞し、かつこの開口の外側の上壁内面より垂下した前記回転軸に固止される嵌合部を備えた内筒と、この内筒を囲繞し、前記上壁内面より垂下した中間筒と、この中間筒を囲繞し、前記上壁内面より垂下した座筒とを順次設け、この中間筒に前記スプリングの内面側を添接し、またこのスプリング座面を前記座筒に当接する構造とし、また、この座筒と、前記ハウジングの周壁との間で、かつ前記上壁内面の放射方向に、複数の第一係止突条を設ける構成とした草刈機のナイロンカッタの繰出し機構を備えた回転ケース。
【請求項３】
請求項１に記載の草刈機のナイロンカッタの繰出し機構を備えた回転ケースであって、
この引掛け片は、ハウジングの放射方向に延設して設け、この引掛け片の一方側に曲面部を形成し、この曲面部を介して、前記カバーを、取外し可能な構造とした草刈機のナイロンカッタの繰出し機構を備えた回転ケース。
【請求項４】
請求項１に記載の草刈機のナイロンカッタの繰出し機構を備えた回転ケースであって、
このボビンの下鍔片にのみ、ナイロンカッタの自由端のやや内側を係止できる凹孔を開設する構成とした草刈機のナイロンカッタの繰出し機構を備えた回転ケース。
【請求項５】
請求項１に記載の草刈機のナイロンカッタの繰出し機構を備えた回転ケースであって、
このボビンの筒状本体部に、空気流通用の貫通孔を複数開設する構成とした草刈機のナイロンカッタの繰出し機構を備えた回転ケース。
【発明の詳細な説明】
【技術分野】
【０００１】
本発明は、草刈機のナイロンカッタ（ナイロンコード）の繰出し機構を備えた回転ケースに関する。
【背景技術】
【０００２】
従来、ナイロンカッタを装備する草刈機の回転ケースの場合は、使用により、このナイロンカッタが磨耗で短くなり、草刈りに困難となった場合には、この回転ケース内のボビン（巻取り機構）より予備のナイロンカッタを繰出す所作が必要となる。この場合には、ボビンの回転時にこの回転を利用して自動的にボビンを繰出す構造と、ボビンを手動操作で回転して繰出す構造とが知られている。その代表的な一例を、下記の先行文献を利用して説明する。
【０００３】
このボビンの回転時にこの回転を利用して自動的にボビンを繰出す構造として、文献（１）と、文献（２）がある。この文献（１）は、特開平６−３０６２６号の「コード型草刈機の刈刃装置におけるコード繰出し機構」である。この発明の構造は、ボビンの上下鍔片の表面、裏面に、第一係止爪と、第二係止爪を突設し、このボビン内に遊嵌し、かつハウジンクに摺動自在に設けた殴打部を備えた切換部材と、この切換部材の外周壁に設けた、被係止爪と、前記切換部材を付勢するハウジングと、カバーとの間に設けたスプリングとで構成し、前記切換部材の脱抜を前記カバーで防止し、かつこの切換部材の殴打部を、このカバーより突出する構成とする。そして、この殴打部の殴打を介して、この殴打部をカバー内に嵌入し、前記第二係止爪と被係止爪との係合開放を介して、前記ボビンを回転しつつ、前記第一係止爪と被係止爪との係合を介して、前記ボビンの回転停止が図れるとともに、この係合開放の瞬間から、係合の間に、ナイロンカッタを、繰出し可能とする。そして、この発明の特徴は、ボビンと切換部材との回転速度差を利用し、ナイロンカッタの繰出し、またこの殴打作業の繰返しを介して、繰出し長さを調整することにある。また、文献（２）は、特開２００５−１２４５０１の「刈払機のコード繰出し装置、及びコード繰出し装置におけるコードの配索方法」である。この発明の構造は、ハウジング（ケース蓋）の上壁内面に押爪を、カバー（ケース本体）の底壁に係合凹部を、それぞれ突設し、このハウジングとカバーとの間に可動自在に設け、かつ押圧部を備えたボビン（リール部材）の上下壁の表裏面に、前進爪と係合凸部とを設け、このハウジングと、ボビンとの間に、押圧部を付勢するスプリングを介設し、このボビンの押圧部が、カバーより突出する構成とする。そして、この押圧部の殴打を介して、この押圧部をカバー内に嵌入し、前記係合凹部と係合凸部との係合開放と、前記ボビンを回転しつつ、前記押爪と前進爪との係合を介して、前記ボビンを回転するとともに、この係合開放の瞬間から、係合の間に、ナイロンカッタを、繰出し可能とする。そして、この発明の特徴は、皿状のカバーにナイロンカッタの挿通孔を開設したので、外装ケース（ケース本体とケース蓋とで構成する）内に、埃、土、草が侵入しないことにある。
【０００４】
そして、ボビンを手動操作で回転して繰出す構造として、文献（３）がある。この文献（３）は、特開２００６−１４６８６の「コード型草刈機の刈刃装置における手動式コード繰出し機構」である。この発明の構造は、ボビンの上鍔片の表面に、連動凹凸部と、ストッパー凹凸部とを設け、このストッパー凹凸部に係脱される手動操作体を、このボビンの放射方向に、挿脱可能に設けるとともに、この手動操作体を、スプリングを介して、前記放射方向に付勢する構造とし、またこのボビンを、ハウジンクとカバーとの間に回転自在に設ける構造であり、当該手動操作体の押圧（挿入）と、押圧解除（復帰）を介して、前記ボビンの回転と回転停止とを図るとともに、この回転と回転停止により、ナイロンカッタを、繰出し可能とする。そして、この発明の特徴は、手動操作体の操作を介して、ナイロンカッタの繰出し、及び／又は、繰出し長さを調整することにある。
【０００５】
【特許文献１】特開平６−３０６２６号
【特許文献２】特開２００５−１２４５０１
【特許文献３】特開２００６−１４６８６
【発明の開示】
【発明が解決しようとする課題】
【０００６】
前記文献（１）は、ボビン内に遊嵌し、かつハウジンクに摺動自在に設けた殴打部を備えた切換部材を設ける構造であり、例えば、部品点数が増えること、またこの組付けに対する手間及び／又は熟練を要すること、等の問題を抱えている。そして、また、ボビンの僅かな軸芯方向への移動で、このボビンの停止と、停止開放（回転）を図る構造であり、確実な、動作を図るには、改良の余地がある。
【０００７】
また文献（２）は、深いケース本体まで、回転軸を延設する構造であり、外装ケースの盲動の問題を解決する必要性があり、構造の複雑化を招来すること、また使用時の取扱にも配慮する必要があり、面倒であること、等の問題を抱えている。そして、また、この発明では、係合凹凸部との係合、前進爪及び押爪の係合（噛合）を介して、ボビン（リール部材）の回転停止と、回転を図る構造であり、回転ピッチの余裕が少なく、余分の手間と、時間とを要することが考えられ、取扱に改良の余地が考えられる。
【０００８】
さらに文献（３）は、草刈機を停止し、手動操作体の制御を介して、ボビンの回転を図り、このボビンに捲装されたナイロンカッタを繰出す構造であり、手間及び／又は時間を要すること、草刈機の取扱に経験と、新たな知識を要すること、等の改良の余地が考えられる。殊に、一々、草刈機の停止を介して、ナイロンカッタを繰出す構造であり、緊急時の対応に、苦慮することもあり得ること、また停止を怠ると、思わぬ事故を起こし問題となること、等の改良すべき課題がある。
【課題を解決するための手段】
【０００９】
請求項１の発明は、草刈機を回転しながら、ナイロンカッタを所定長さ、繰出し可能とすること、その際に、ボビンをカバーより切離し、この切離し直後に、ハウジングに係止する構造とし、ナイロンカッタを所定長さ、確実かつスムースに、繰出し可能とすること、等を意図する。またこの請求項１の発明は、ボビンの上下鍔片に設けた第一・第二被係止突条と、ハウジングに設けた第一係止突条及び第二係止突条との係止及び係止解除を介して、ボビンの回転と、この回転停止とを図る構造であり、確実、かつスムースなナイロンカッタの繰出しを行なうこと、また、前述のナイロンカッタを所定長さ、確実かつスムースに、繰出し可能とすること、等を意図する。さらに、請求項１の発明は、スプリングを、ハウジングとボビンに係止可能とする構造を採用し、ボビンの確実かつスムースな、嵌入と、復帰とを図ることを意図する。
【００１０】
請求項１は、草刈機の回転軸の挿入を許す開口を上壁に設け、かつこの回転軸に固止される椀形のハウジングには、その周壁に、一方側に曲面部を有する引掛け片を対で設けるとともに、この引掛け片の間に設けたスリットに、ナイロンカッタ挿入用のガイドピースを嵌着し、またその上壁内面に複数の第一係止突条を膨出して設けた構成とし、
このハウジングに内装され、かつ前記ナイロンカッタを捲装したボビンは、筒状本体部と、この筒状本体部に設け、かつ第一・第二被係止突条を膨出形成した上下鍔片で構成し、この筒状本体部の下部に設けた押圧用の突部の内面には、この筒状本体部の内面側より、軸芯に向って、環状に設けた第一リング壁と、この第一リング壁と当該筒状本体部内面との間に差渡し設けた複数枚の座面片と、また、この第一リング壁の内方で、かつこの内面に環状に設けた第二リング壁と、この第二リング壁と前記第一リング壁との間に差渡し設けた複数枚の突片を、順次、設ける構成とし、
前記ハウジングの引掛け片に係止され、かつこのハウジングをカバーする皿状のカバーを設け、このカバーには、その壁体の外周面に開設した前記引掛け片が挿入される切欠き孔と、この切欠き孔の間に設けた、当該ハウジングの周壁の外側に添着される複数の突片と、また、この壁体に開設した前記ボビンの突部が挿入される開口と、その内壁面に膨出した複数の第二係止突条で構成し、
前記ハウジングに、前記カバーを装着した際に、このカバーの開口より前記ボビンの突部が突出し、前記ボビンの座面片にスプリングの座面が当接されるとともに、前記ボビンの突片の外側には、前記スプリングの内面側が添接され、このスプリングを、前記ハウジングと前記ボビンとの間に取付ける構成であり、
前記スプリングの付勢力で、前記第二被係止突条と、第二係止突条が係止関係を確保し、また、このスプリングの付勢力を圧縮した際に、前記ボビンが移動し、前記第一被係止突条と、第一係止突条が係止関係を確保し、
前記引掛け片の一方側の曲面部を介して、この引掛け片が、前記切欠き孔の段付き部より脱離し、前記ハウジングより前記カバーの取外しができる構成とした草刈機のナイロンカッタの繰出し機構を備えた回転ケースである。
【００１１】
請求項２の発明は、請求項１の目的を達成すること、この目的を達成するに最適な構造のハウジングを提供すること、等を意図する。
【００１２】
請求項２は、請求項１に記載の草刈機のナイロンカッタの繰出し機構を備えた回転ケースであって、
このハウジングには、当該ハウジングの上壁に設けた開口を囲繞し、かつこの開口の外側の上壁内面より垂下した前記回転軸に固止される嵌合部を備えた内筒と、この内筒を囲繞し、前記上壁内面より垂下した中間筒と、この中間筒を囲繞し、前記上壁内面より垂下した座筒とを順次設け、この中間筒に前記スプリングの内面側を添接し、またこのスプリング座面を前記座筒に当接する構造とし、また、この座筒と、前記ハウジングの周壁との間で、かつ前記上壁内面の放射方向に、複数の第一係止突条を設ける構成とした草刈機のナイロンカッタの繰出し機構を備えた回転ケースである。
【００１３】
請求項３の発明は、請求項１の目的を達成すること、この目的を達成するに最適な構造のハウジングを提供すること、等を意図する。
【００１４】
請求項３は、請求項１に記載の草刈機のナイロンカッタの繰出し機構を備えた回転ケースであって、
この引掛け片は、ハウジングの放射方向に延設して設け、この引掛け片の一方側に曲面部を形成し、この曲面部を介して、前記カバーを、取外し可能な構造とした草刈機のナイロンカッタの繰出し機構を備えた回転ケースである。
【００１５】
請求項４の発明は、請求項１の目的を達成すること、この目的を達成するに最適な構造のボビンを提供すること、等を意図する。
【００１６】
請求項４は、請求項１に記載の草刈機のナイロンカッタの繰出し機構を備えた回転ケースであって、
このボビンの下鍔片にのみ、ナイロンカッタの自由端のやや内側を係止できる凹孔を開設する構成とした草刈機のナイロンカッタの繰出し機構を備えた回転ケースである。
【００１７】
請求項５の発明は、請求項１の目的を達成すること、この目的を達成するに最適な構造のボビンで、かつナイロンカッタの融着を防止できるボビンを提供すること、等を意図する。
【００１８】
請求項５は、請求項１に記載の草刈機のナイロンカッタの繰出し機構を備えた回転ケースであって、
このボビンの筒状本体部に、空気流通用の貫通孔を複数開設する構成とした草刈機のナイロンカッタの繰出し機構を備えた回転ケースである。
【００１９】
【００２０】
【発明の効果】
【００２１】
請求項１の発明は、草刈機の回転軸の挿入を許す開口を上壁に設け、かつ回転軸に固止される椀形のハウジングには、周壁に、一方側に曲面部を有する引掛け片を対で設けるとともに、引掛け片の間に設けたスリットに、ナイロンカッタ挿入用のガイドピースを嵌着し、また上壁内面に複数の第一係止突条を膨出して設けた構成とし、
ハウジングに内装され、かつナイロンカッタを捲装したボビンは、筒状本体部と、筒状本体部に設け、かつ第一・第二被係止突条を膨出形成した上下鍔片で構成し、筒状本体部の下部に設けた押圧用の突部の内面には、筒状本体部の内面側より、軸芯に向って、環状に設けた第一リング壁と、第一リング壁と筒状本体部内面との間に差渡し設けた複数枚の座面片と、また、第一リング壁の内方で、かつ内面に環状に設けた第二リング壁と、第二リング壁と第一リング壁との間に差渡し設けた複数枚の突片を、順次、設ける構成とし、
ハウジングの引掛け片に係止され、かつハウジングをカバーする皿状のカバーを設け、カバーには、壁体の外周面に開設した引掛け片が挿入される切欠き孔と、切欠き孔の間に設けた、ハウジングの周壁の外側に添着される複数の突片と、また、壁体に開設したボビンの突部が挿入される開口と、内壁面に膨出した複数の第二係止突条で構成し、
ハウジングに、カバーを装着した際に、カバーの開口よりボビンの突部が突出し、ボビンの座面片にスプリングの座面が当接されるとともに、ボビンの突片の外側には、スプリングの内面側が添接され、スプリングを、ハウジングとボビンとの間に取付ける構成であり、
スプリングの付勢力で、第二被係止突条と、第二係止突条が係止関係を確保し、また、スプリングの付勢力を圧縮した際に、ボビンが移動し、第一被係止突条と、第一係止突条が係止関係を確保し、
引掛け片の一方側の曲面部を介して、引掛け片が、切欠き孔の段付き部より脱離し、ハウジングよりカバーの取外しができる構成とした草刈機のナイロンカッタの繰出し機構を備えた回転ケースである。
【００２２】
従って、請求項１は、草刈機を回転しながら、ナイロンカッタを所定長さ、繰出し可能となること、その際に、ボビンをカバーより切離し、この切離し直後に、ハウジングに係止する構造とし、ナイロンカッタを所定長さ、確実かつスムースに、繰出し可能となること、等の特徴を有する。またこの請求項１は、ボビンの上下鍔片に設けた第一・第二被係止突条と、ハウジングに設けた第一係止突条及び第二係止突条との係止及び係止解除を介して、ボビンの回転と、この回転停止とが図れる構造であり、確実、かつスムースなナイロンカッタの繰出しが行えること、また、前述のナイロンカッタを所定長さ、確実かつスムースに、繰出し可能となること、等の特徴を有する。さらに、請求項１は、スプリングを、ハウジングとボビンに係止可能とする構造を採用し、ボビンの確実かつスムースな、嵌入と、復帰とが図れる実益がある。
【００２３】
請求項２の発明は、請求項１に記載の草刈機のナイロンカッタの繰出し機構を備えた回転ケースであって、
ハウジングには、ハウジングの上壁に設けた開口を囲繞し、かつ開口の外側の上壁内面より垂下した回転軸に固止される嵌合部を備えた内筒と、内筒を囲繞し、上壁内面より垂下した中間筒と、中間筒を囲繞し、上壁内面より垂下した座筒とを順次設け、中間筒にスプリングの内面側を添接し、またスプリング座面を座筒に当接する構造とし、また、座筒と、ハウジングの周壁との間で、かつ上壁内面の放射方向に、複数の第一係止突条を設ける構成とした草刈機のナイロンカッタの繰出し機構を備えた回転ケースである。
【００２４】
従って、請求項２は、請求項１の目的を達成できること、この目的を達成するに最適な構造のハウジングを提供できること、等の特徴を有する。
【００２５】
請求項３の発明は、請求項１に記載の草刈機のナイロンカッタの繰出し機構を備えた回転ケースであって、
引掛け片は、ハウジングの放射方向に延設して設け、引掛け片の一方側に曲面部を形成し、この曲面部を介して、前記カバーを、取外し可能な構造とした草刈機のナイロンカッタの繰出し機構を備えた回転ケースである。
【００２６】
従って、請求項３は、請求項１の目的を達成できること、この目的を達成するに最適な構造のハウジングを提供できること、等の特徴を有する。
【００２７】
請求項４の発明は、請求項１に記載の草刈機のナイロンカッタの繰出し機構を備えた回転ケースであって、
ボビンの下鍔片にのみ、ナイロンカッタの自由端のやや内側を係止できる凹孔を開設する構成とした草刈機のナイロンカッタの繰出し機構を備えた回転ケースである。
【００２８】
従って、請求項４は、請求項１の目的を達成できること、この目的を達成するに最適な構造のボビンを提供できること、等の特徴を有する。
【００２９】
請求項５の発明は、請求項１に記載の草刈機のナイロンカッタの繰出し機構を備えた回転ケースであって、
ボビンの筒状本体部に、空気流通用の貫通孔を複数開設する構成とした草刈機のナイロンカッタの繰出し機構を備えた回転ケースである。
【００３０】
従って、請求項５は、請求項１の目的を達成できること、この目的を達成するに最適な構造のボビンで、かつナイロンカッタの融着を防止できるボビンを提供できること、等の特徴を有する。
【００３１】
【００３２】
【発明を実施するための最良の形態】
【００３３】
本発明の一例を説明する。
【００３４】
図面の説明をすると、図１は草刈機の全体を示した縮尺斜視図、図２は回転ケースの平面図、図３−１は回転ケースの断面図であって、ハウジング、ボビンと、カバー、並びにスプリングの相関関係を示した断面図、そして、図３−２は図３−１のボビンの可動（上昇）を示した断面図である。図４−１はハウジングを裏面視した斜視図、図４−２はハウジングの裏面図、図５−１はボビンとカバー、並びにナイロンカッタの相関関係を示した斜視図、図５−２は図５−１の平面図、図６−１はボビンの斜視図、図６−２は図６−１の平面図、図６−３は図６−１の裏面図である。
【００３５】
１は草刈機Ｍの回転軸Ｍ１の挿入を許す開口２を上壁１ａに設けたハウジングで、このハウジング１は、回転軸Ｍ１に固止される嵌合部３を有する椀形を呈する。そして、このハウジング１は前記上壁１ａと、環状の周壁１ｂを有し、この周壁１ｂの下側は、開放４である。またこの周壁１ｂには、対の切溝１００（スリット）、１００［対の場合には、一つの符号とする］を介して引掛け片５、５を、それぞれ設けるとともに、対の切溝１００・その長さ及び／又は素材を介して、この引掛け片５に弾性を付与する構造である。また、この周壁１ｂで、かつ望ましくは、引掛け片５の間に、スリット１０１を介して、ガイドピース７、７を嵌着する。さらに、このハウジング１の上壁１ａの内面１ｃには、開口２を囲繞した箇所（開口２の外側に相当する箇所）より垂下した回転軸Ｍ１に固止される嵌合部３を備えた内筒８と、この内筒８を囲繞し、内面１ｃより垂下した中間筒１０と、この中間筒１０を囲繞し、内面１ｃより垂下した座筒１１とを順次設け、中間筒１０の外側にスプリング１５の内面側１５ａを添接し、またスプリング１５の座面１５００を座筒１１に当接する構造とし、また、座筒１１の外面と、ハウジング１の周壁１ｂの内面との間で、かつ内面１ｃの放射方向には、複数の第一係止突条１２を設ける構成である。
【００３６】
尚、このハウジング１には、ナイロンカッタＢを捲装できるボビン２０を内装する空間１３が形成されている。そして、また、前記引掛け片５を保護するガイド片１４がそれぞれ周壁１ｂに膨出形成する。図中１６はスリット１０１を保護する周壁１ｂの内面側に設けた膨出片を示す。
【００３７】
そして、前記ボビン２０は、上下鍔片２１、２２と、筒状本体部２３とで構成されてあり、この上下鍔片２１、２２には、複数の第一・第二被係止突条２５、２６を、それぞれ膨出形成するとともに、下鍔片２２には、ナイロンカッタＢの自由端Ｂ１、Ｂ２のやや内側を係止できる２個の凹孔２７を形成し、またボビン２０には、押圧用の突部２８を形成する。そして、このボビン２０には中間鍔片２９を設け、この中間鍔片２９で、ナイロンカッタＢの二方向への繰出しを図り、また中間鍔片２９の円周方向の中間箇所に、引掛けを設け、この引掛けを利用し、ナイロンカッタＢの中間を係止する構造とすることが望ましい。
【００３８】
尚、このボビン２０の突部２８を構成する壁体２８ａの内面２８ｂには、次の各部材が、筒状本体部２３の内面２３ａより、軸芯に向かって、順次、設けられている。一番外に、環状に立設した第一リング壁３０と、この第一リング壁３０と前記筒状本体部２３の内面２３ａとの間に差渡し設けた複数枚の座面片３１と、また、第一リング壁３０の内方に環状に立設した第二リング壁３２と、第一リング壁３０との間に差渡し設けた複数枚の突片３３とで構成する。そして、この座面片３１に前記スプリング１５の座面１５００が当接されるとともに、突片３３の外側には、スプリング１５の内面側１５ａが添接される構成とし、スプリング１５を、ハウジング１とボビン２０との間に、確実に取付け（配備し）、突部２８の押圧を介して、スプリング１５の付勢力が押圧され、また、突部２８の復帰を、このスプリング１５の付勢力を利用して、達成可能とする構造である。
【００３９】
また、このボビン２０の筒状本体部２３に、空気流通用の貫通孔３４を複数開設し、ナイロンカッタＢ自体及び／又はボビン２０との融着を防止する。殊に、夏季及び／又は熱帯地方での合理的な使用を図る。
【００４０】
４０はハウジング１の空間１３をカバーし、かつこのハウジング１に取付け、取外し自在に設けられる皿状のカバーで、このカバー４０は、周壁４０ａに、複数の突片４１を有し、またその壁体４０ｂの外周縁で、かつ前記突片４１間には、段付き部４２ａを備えた切欠き孔４２が対で開設されている。そして、この切欠き孔４２には、ハウジング１の引掛け片５が挿入され、かつ段付き部４２ａに、引掛け片５の爪部５ｂが係止されることで、このハウジング１にカバー４０が合体される。また、この合体した、ハウジング１とカバー４０との間に、ボビン２０と、スプリング１５が装着されるとともに、ボビン２０の突部２８がカバー４０の開口４３より突出し、かつこのボビン２０の座面片３１と、ハウジング１の座筒１１との間に、このスプリング１５が組付けられる。このスプリング１５の座面１５００が当接される構造は、前述の通りであり、かつその内面側１５ａが中間筒１０と、突片３３との外側に添接されることで、その盲動を防止できる特徴がある。尚、このカバー４０の壁体４０ｂの内面で、かつ前記開口４３の外側には、複数個の第二係止突条４４が放射方向に設けられている。
【００４１】
次に、本発明の組付けと、使用の一例を説明すると、ボビン２０の中間鍔片２９の中間箇所に、捲装したナイロンカッタＢを引掛け、その自由端Ｂ１、Ｂ２のやや内方を、ボビン２０の凹孔２７に係止し、その自由端Ｂ１、Ｂ２を放射方向に引出しておく。このナイロンカッタＢを引掛けたボビン２０を、草刈機Ｍの回転軸Ｍ１に取付けたハウジング１に取付けるとともに、ナイロンカッタＢの自由端Ｂ１、Ｂ２を、ハウジング１のガイドピース７より、回転ケース（後述する）の放射方向に引出し、かつこの取付け時に、スプリング１５を、ハウジング１の内筒８と、このボビン２０の座面片３１との間に設ける。その後、ハウジング１の引掛け５を、カバー４０の切欠き孔４２に嵌入かつ係止する。この作業で、回転軸Ｍ１の先端に、ハウジング１、スプリング１５と、ボビン２０、並びにカバー４０（回転ケース）が装着される。この状態は、図３−１に示した通りであり、ボビン２０がスプリング１５の付勢力で、下限位置にあり、その突部２８がカバー４０の開口４３より突出するとともに、ナイロンカッタＢを捲装したボビン２０の第二被係止突条２６が、カバー４０の第二係止突条４４に係止されており、ボビン２０は、回転ケースの回転と同調する。この状態で、回転軸Ｍ１を回転し、回転ケースを、高速回転することで、この回転ケースより突出したナイロンカッタＢの端部を介して、草や稲、小木を刈り取る構造である。
【００４２】
以上の状態で、草や稲、小木の刈り取り行い、ナイロンカッタＢが摩損した場合には、回転ケースを回転した状態で、ボビン２０の突部２８を地面で押圧し、前記スプリング１５の付勢力を解除すると（スプリング１５を圧縮すると）、ボビン２０の第二被係止突条２６が、カバー４０の第二係止突条４４より離間すると同時に、当該ボビン２０がフリーとなり、かつその慣性力で回転（旋回）し、この回転した距離のみ、ナイロンカッタＢが繰出される。そして、ボビン２０の第一被係止突条２５が、ハウジング１の第一係止突条１２に係止されることで、このボビン２０の慣性力による回転が停止し、ナイロンカッタＢの繰出しが終了する。その後の取扱は、前述の通りである。尚、第一係止突条１２と、第二係止突条４４とは、回転方向において、その位相を異にする構造であり、この位相分だけ、突部２８が押圧を介して嵌入した際に、貫設力が作用する構造である。従って、この押圧を継続することで、ナイロンカッタＢの繰出し長さを調整できる。また、第一被係止突条２５と第二被係止突条２６は、回転方向において、同じ位置に設ける構造である。
【００４３】
また、カバー４０の取外しと、又はボビン２０の取外し及び／又はナイロンカッタＢの補充を考慮した場合の操作は、カバー４０を回転し、ハウジング１に設けた引掛け片５の曲面部５ａを利用する取外し方法がある。この場合は、このカバー４０を、やや強く、円周方向に回転することで、このカバー４０に設けた切欠き孔４２は、引掛け片５の一方側に設けた曲面部５ａを滑り、この引掛け片５に反りあがり、かつ軸芯方向に撓むとともに、引掛け片５の爪部５ｂが、カバー４０の切欠き孔４２の段付き部４２ａより脱離し、このカバー４０の取外しが終了する。その後は、前述の如く、ボビン２０の取外し及び／又はナイロンカッタＢの補充をする。この場合に、カバー４０の回転と、曲面部５ａの滑りを利用して、切欠き孔４２より脱離する取外し方法であって、簡便で、かつ容易な取外しが可能となり有益である。尚、他の取外し方法としては、ハウジング１の引掛け片５を押圧し、この引掛け片５を、強制的に撓ませ、この引掛け片５の爪部５ｂを、切欠き孔４２の段付き部４２ａより脱離する方法が考えられる。この場合に、押圧に、力を要することが考えられるが、取外しに問題はない。
【図面の簡単な説明】
【００４４】
【図１】図１は草刈機の全体を示した縮尺斜視図
【図２】図２は回転ケースの平面図
【図３−１】図３−１は回転ケースの断面図であって、ハウジング、ボビンと、カバー、並びにスプリングの相関関係を示した断面図
【図３−２】図３−２は図３−１のボビンの可動（上昇）を示した断面図
【図４−１】図４−１はハウジングを裏面視した斜視図
【図４−２】図４−２はハウジングの裏面図
【図５−１】図５−１はボビンとカバー、並びにナイロンカッタの相関関係を示した斜視図
【図５−２】図５−２は図５−１の平面図
【図６−１】図６−１はボビンの斜視図
【図６−２】図６−２は図６−１の平面図
【図６−３】図６−３は図６−１の裏面図
【符号の説明】
【００４５】
１            ハウジング
１ａ          上壁
１ｂ          周壁
１ｃ          内面
２            開口
３            嵌合部
４            開放
５            引掛け片
５ａ          曲面部
５ｂ          爪部
７            ガイドピース
８            内筒
１０          中間筒
１００        切溝
１０１        スリット
１１          座筒
１２          第一係止突条
１３          空間
１４          ガイド片
１５          スプリング
１５ａ        内面側
１５００      座面
１６          膨出片
２０          ボビン
２１          上鍔片
２２          下鍔片
２３          筒状本体部
２３ａ        内面
２５          第一被係止突条
２６          第二被係止突条
２７          凹孔
２８          突部
２８ａ        壁体
２８ｂ        内面
２９          中間鍔片
３０          第一リング壁
３１          座面片
３２          第二リング壁
３３          突片
３４          貫通孔
４０          カバー
４０ａ        周壁
４０ｂ        壁体
４１          突片
４２          切欠き孔
４２ａ        段付き部
４３          開口
４４          第二係止突条
Ｍ            草刈機
Ｍ１          回転軸
Ｂ            ナイロンカッタ
Ｂ１          自由端
Ｂ２          自由端
【図１】
0004394150.tif 000002
【図２】
0004394150.tif 000003
【図３−１】
0004394150.tif 000004
【図３−２】
0004394150.tif 000005
【図４−１】
0004394150.tif 000006
【図４−２】
0004394150.tif 000007
【図５−１】
0004394150.tif 000008
【図５−２】
0004394150.tif 000009
【図６−１】
0004394150.tif 000010
【図６−２】
0004394150.tif 000011
【図６−３】
0004394150.tif 000012